【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
水平方向に対して所定の角度範囲内に設定された回転軸を中心に回転可能なドラムを備え、上記ドラムの周面に洗濯物の出し入れ用の開口が形成されたドラム式洗濯機であって、
上記ドラムを収容し、その上面に上記ドラムの開口に対して洗濯物を出し入れ能にする投入口が形成された、上記ドラム式洗濯機の外形を区画する筐体と、
上記投入口に沿うようにスライドさせることにより上記投入口を開閉可能なスライド蓋とを含むことを特徴とするドラム式洗濯機。
【請求項２】
上記筐体の上面は、手前に向かって下り傾斜した傾斜面を含み、
上記投入口は、上記傾斜面の手前から上面後方へと開いており、
上記スライド蓋は、上記投入口の前端から後方へスライドさせることにより上記投入口を開くことができ、後方から上記投入口の前端までスライドさせることにより上記投入口を閉じることができることを特徴とする請求項１記載のドラム式洗濯機。
【請求項３】
上記筐体の上面は、後方に向かって下り傾斜した傾斜面をさらに含み、前後方向の所定位置が最も高くなるように、上方に向かって凸湾曲していることを特徴とする請求項２記載のドラム式洗濯機。
【請求項４】
上記所定位置は、後方寄りの位置であって、
上記各傾斜面は、それぞれ凸湾曲面であることを特徴とする請求項３記載のドラム式洗濯機。
【請求項５】
上記スライド蓋の側縁部に係合し、上記スライド蓋をスライド方向に沿ってガイドするためのガイド部と、
上記スライド蓋の側縁部の上記ガイド部に対する係合が外れないように、上記スライド蓋のスライド方向に交叉する方向への変位を規制するための規制部とを含むことを特徴とする請求項１〜４のいずれかに記載のドラム式洗濯機。
【請求項６】
上記スライド蓋は、上記投入口および上記筐体に沿ってスライド方向に折曲可能であることを特徴とする請求項１〜５のいずれかに記載のドラム式洗濯機。
【請求項７】  上記スライド蓋は、開成時には、上記筐体の後方内部に上方から垂れ下がった状態で収容されていることを特徴とする請求項６記載のドラム式洗濯機。
【請求項８】
上記スライド蓋を開く際に、当該スライド蓋を上記筐体の後方内部へ垂れ下がるように案内するためのガイド面をさらに含むことを特徴とする請求項７記載のドラム式洗濯機。
【請求項９】
上記ガイド面は、上記筐体の内部に備えられた構成部材よりも後側に張り出していて、上記スライド蓋が上記構成部材に干渉するのを防止するものであることを特徴とする請求項８記載のドラム式洗濯機。
【請求項１０】
上記スライド蓋は、本体と、この本体の上面を覆い、上記スライド蓋が折れ曲がるのに応じて湾曲可能な可撓性を有するシート部材とを含むことを特徴とする請求項６〜９のいずれかに記載のドラム式洗濯機。
【請求項１１】
上記シート部材は、上記スライド蓋の本体に対して、当該スライド蓋のスライド方向に一定量の遊びをもって取り付けられていることを特徴とする請求項１０記載のドラム式洗濯機。
【請求項１２】
上記スライド蓋の上面に沿って上記筐体の後方内部に異物が進入するのを防止するために、上記スライド蓋の上面と上記筐体との隙間には、異物進入防止部が設けられていることを特徴とする請求項１〜１１のいずれかに記載のドラム式洗濯機。
【請求項１３】
上記スライド蓋を電動で開閉させるための電動開閉機構をさらに含むことを特徴とする請求項１〜１２のいずれかに記載のドラム式洗濯機。
【請求項１４】
上記ドラム式洗濯機の運転動作を開始させるためのスタートボタンを含み、
上記電動開閉機構は、上記スタートボタンが押操作されることに応答して、上記スライド蓋を閉じることを特徴とする請求項１３記載のドラム式洗濯機。
【請求項１５】  上記筐体内に備えられ、上記ドラム内に洗濯物を出し入れする際に開閉される開閉蓋と、
上記開閉蓋が閉じられているか否かを検知するための開閉センサとをさらに含み、
上記電動開閉機構は、上記開閉センサによって上記開閉蓋が閉じられていると検知された場合にのみ、上記スライド蓋を閉じることを可能にするものであることを特徴とする請求項１３または１４記載のドラム式洗濯機。
【請求項１６】
水平方向に対して所定の角度範囲内に設定された回転軸を中心に回転可能なドラムを備え、上記ドラムの周面に洗濯物の出し入れ用の開口が形成されたドラム式洗濯機であって、
上記ドラムを収容し、その上面に上記ドラムの開口に対して洗濯物を出し入れ可能にする投入口が形成された、上記ドラム式洗濯機の外形を区画する筐体と、
上記投入口を覆うための開閉蓋と、
上記開閉蓋を開く方向に付勢するための付勢手段と、
上記開閉蓋が閉じられた状態で当該開閉蓋が開かないように保持するための保持手段とを含むことを特徴とするドラム式洗濯機。
【請求項１７】
水平方向に対して所定の角度範囲内に設定された回転軸を中心に回転可能なドラムを備え、上記ドラムの周面に洗濯物の出し入れ用の開口が形成されたドラム式洗濯機であって、
上記ドラムを収容し、その上面に上記ドラムの開口に対して洗濯物を出し入れ可能にする投入口が形成された、上記ドラム式洗濯機の外形を区画する筐体と、
上記投入口を覆うための開閉蓋と、
上記開閉蓋を付勢するための付勢手段であって、上記開閉蓋を閉じた状態では当該開閉蓋を開く方向に付勢力を生じないが、上記開閉蓋を所定位置まで開くと当該開閉蓋を開く方向に付勢力を生じる付勢手段とを含むことを特徴とするドラム式洗濯機。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】変更
【補正の内容】
【００２６】
請求項５記載の発明は、上記スライド蓋（３８）の側縁部に係合し、上記スライド蓋をスライド方向に沿ってガイドするためのガイド部（２１３Ａ）と、上記スライド蓋の側縁部の上記ガイド部に対する係合が外れないように、上記スライド蓋のスライド方向に交叉する方向への変位を規制するための規制部（２３２，２１７，３８３Ｂ，３８３Ｃ，３８Ｄ）とを含むことを特徴とする請求項１〜４のいずれかに記載のドラム式洗濯機（１００）である。
【手続補正５】
【補正対象書類名】明細書
【補正対象項目名】００２８
【補正方法】変更
【補正の内容】
【００２８】
請求項６記載の発明は、上記スライド蓋（３１；３５；３８）は、上記投入口（４）および上記筐体（２；２００，２１０）に沿ってスライド方向に折曲可能であることを特徴とする請求項１〜５のいずれかに記載のドラム式洗濯機（１；１００）である。
【手続補正６】
【補正対象書類名】明細書
【補正対象項目名】００３１
【補正方法】変更
【補正の内容】
【００３１】
請求項７記載の発明は、上記スライド蓋（３８）は、開成時には、上記筐体（２００，２１０）の後方内部に上方から垂れ下がった状態で収容されていることを特徴とする請求項６記載のドラム式洗濯機（１００）である。
【手続補正７】
【補正対象書類名】明細書
【補正対象項目名】００３３
【補正方法】変更
【補正の内容】
【００３３】
請求項８記載の発明は、上記スライド蓋（３８）を開く際に、当該スライド蓋を上記筐体（２００，２１０）の後方内部へ垂れ下がるように案内するためのガイド面（７１Ａ）をさらに含むことを特徴とする請求項７記載のドラム式洗濯機（１００）である。
【手続補正８】
【補正対象書類名】明細書
【補正対象項目名】００３５
【補正方法】変更
【補正の内容】
【００３５】
請求項９記載の発明は、上記ガイド面（７１Ａ）は、上記筐体（２００，２１０）の内部に備えられた構成部材よりも後側に張り出していて、上記スライド蓋（３８）が上記構成部材に干渉するのを防止するものであることを特徴とする請求項８記載のドラム式洗濯機（１００）である。
【手続補正９】
【補正対象書類名】明細書
【補正対象項目名】００３７
【補正方法】変更
【補正の内容】
【００３７】
請求項１０記載の発明は、上記スライド蓋（３８）は、本体（３８１）と、この本体の上面を覆い、上記スライド蓋が折れ曲がるのに応じて湾曲可能な可撓性を有するシート部材（３８２）とを含むことを特徴とする請求項６〜９のいずれかに記載のドラム式洗濯機（１００）である。
【手続補正１０】
【補正対象書類名】明細書
【補正対象項目名】００４１
【補正方法】変更
【補正の内容】
【００４１】
請求項１１記載の発明は、上記シート部材（３８２）は、上記スライド蓋（３８）の本体（３８１）に対して、当該スライド蓋のスライド方向（前後方向）に一定量の遊びをもって取り付けられていることを特徴とする請求項１０記載のドラム式洗濯機（１００）である。
【手続補正１１】
【補正対象書類名】明細書
【補正対象項目名】００４４
【補正方法】変更
【補正の内容】
【００４４】
請求項１２記載の発明のように、上記スライド蓋（３８）の上面に沿って上記筐体（２００，２１０）の後方内部に異物（硬貨などの比較的薄いもの）が進入するのを防止するために、上記スライド蓋の上面と上記筐体との隙間には、異物進入防止部（２２３；３８５）が設けられていてもよい。
【手続補正１２】
【補正対象書類名】明細書
【補正対象項目名】００４６
【補正方法】変更
【補正の内容】
【００４６】
請求項１３記載の発明は、上記スライド蓋（３８）を電動で開閉させるための電動開閉機構（３００，４００）をさらに含むことを特徴とする請求項１〜１２のいずれかに記載のドラム式洗濯機（１００）である。
【手続補正１３】
【補正対象書類名】明細書
【補正対象項目名】００４９
【補正方法】変更
【補正の内容】
【００４９】
請求項１４記載の発明は、上記ドラム式洗濯機（１００）の運転動作（洗濯動作など）を開始させるためのスタートボタン（５１）を含み、上記電動開閉機構（３００，４００）は、上記スタートボタンが押操作されることに応答して、上記スライド蓋（３８）を閉じることを特徴とする請求項１３記載のドラム式洗濯機である。
【手続補正１４】
【補正対象書類名】明細書
【補正対象項目名】００５５
【補正方法】変更
【補正の内容】
【００５５】
請求項１５記載の発明は、上記筐体（２００，２１０）内に備えられ、上記ドラム（１０）内に洗濯物を出し入れする際に開閉される開閉蓋（２４）と、上記開閉蓋が閉じられているか否かを検知するための開閉センサ（２４Ａ）とをさらに含み、上記電動開閉機構（３００，４００）は、上記開閉センサによって上記開閉蓋が閉じられていると検知された場合にのみ、上記スライド蓋（３８）を閉じることを可能にするものであることを特徴とする請求項１３または１４記載のドラム式洗濯機（１００）である。
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】変更
【補正の内容】
【００６１】
請求項１６記載の発明は、水平方向に対して所定の角度範囲内に設定された回転軸（１１）を中心に回転可能なドラム（１０）を備え、上記ドラムの周面に洗濯物の出し入れ用の開口（２２）が形成されたドラム式洗濯機（１）であって、上記ドラムを収容し、その上面（２Ａ）に上記ドラムの開口に対して洗濯物を出し入れ可能にする投入口（４）が形成された、上記ドラム式洗濯機の外形を区画する筐体（２）と、上記投入口を覆うための開閉蓋（３２）と、上記開閉蓋を開く方向に付勢するための付勢手段（３２５）と、上記開閉蓋が閉じられた状態で当該開閉蓋が開かないように保持するための保持手段（３２６）とを含むことを特徴とするドラム式洗濯機である。
【手続補正１９】
【補正対象書類名】明細書
【補正対象項目名】００６５
【補正方法】変更
【補正の内容】
【００６５】
請求項１７記載の発明は、水平方向に対して所定の角度範囲内に設定された回転軸（１１）を中心に回転可能なドラム（１０）を備え、上記ドラムの周面に洗濯物の出し入れ用の開口（２２）が形成されたドラム式洗濯機（１）であって、上記ドラムを収容し、その上面（２Ａ）に上記ドラムの開口に対して洗濯物を出し入れ可能にする投入口（４）が形成された、上記ドラム式洗濯機の外形を区画する筐体（２）と、上記投入口を覆うための開閉蓋（３３）と、上記開閉蓋を付勢するための付勢手段（３３６）であって、上記開閉蓋を閉じた状態では当該開閉蓋を開く方向に付勢力を生じないが、上記開閉蓋を所定位置まで開くと当該開閉蓋を開く方向に付勢力を生じる付勢手段とを含むことを特徴とするドラム式洗濯機である。
【手続補正２０】
【補正対象書類名】明細書
【補正対象項目名】００７０
【補正方法】削除
【補正の内容】
【手続補正２１】
【補正対象書類名】明細書
【補正対象項目名】００７１
【補正方法】削除
【補正の内容】
【手続補正２２】
【補正対象書類名】明細書
【補正対象項目名】００７２
【補正方法】削除
【補正の内容】
【手続補正２３】
【補正対象書類名】明細書
【補正対象項目名】００７３
【補正方法】削除
【補正の内容】
【手続補正２４】
【補正対象書類名】明細書
【補正対象項目名】００７４
【補正方法】削除
【補正の内容】
【手続補正２５】
【補正対象書類名】明細書
【補正対象項目名】００７５
【補正方法】削除
【補正の内容】
【手続補正２６】
【補正対象書類名】明細書
【補正対象項目名】００７６
【補正方法】削除
【補正の内容】
【手続補正２７】
【補正対象書類名】明細書
【補正対象項目名】００７７
【補正方法】削除
【補正の内容】
【手続補正２８】
【補正対象書類名】明細書
【補正対象項目名】００７８
【補正方法】削除
【補正の内容】
【手続補正２９】
【補正対象書類名】明細書
【補正対象項目名】００７９
【補正方法】削除
【補正の内容】
【手続補正３０】
【補正対象書類名】明細書
【補正対象項目名】００８０
【補正方法】削除
【補正の内容】